(57)【要約】【課題】  この発明は、映像記録装置に録画されたコンテンツを携帯端末にダウンロードするための操作が簡単となる携帯端末付き映像記録装置を提供することを目的とする。【解決手段】  映像記録装置と携帯端末とを備えており、映像記録装置は、テレビ番組のコンテンツを記録メディアに記録させる記録手段、および記録メディアに記録されたコンテンツの中から予め携帯端末に転送すべきであると指定されたコンテンツを予め指定された日時に携帯端末に転送する転送手段を備えており、携帯端末は映像記録装置から転送されたコンテンツを格納するための記憶手段および記憶手段に格納されたコンテンツを視聴可能に出力する手段を備えている。【選択図】  図２
2005109604.tif 000002
【特許請求の範囲】
【請求項１】
映像記録装置と携帯端末とを備えており、映像記録装置は、テレビ番組のコンテンツを記録メディアに記録させる記録手段、および記録メディアに記録されたコンテンツの中から予め携帯端末に転送すべきであると指定されたコンテンツを予め指定された日時に携帯端末に転送する転送手段を備えており、携帯端末は映像記録装置から転送されたコンテンツを格納するための記憶手段および記憶手段に格納されたコンテンツを視聴可能に出力する手段を備えていることを特徴とする携帯端末付き映像記録装置。
【請求項２】
転送手段は、映像記録装置に携帯端末が接続されている状態において、所与の転送開始時刻に、記録メディアに記録されたコンテンツの中から予め携帯端末に転送すべきであると指定されたコンテンツを予め指定された日時に自動的に転送するものであることを特徴とする請求項１に記載の携帯端末付き映像記録装置。
【請求項３】
映像記録装置は、録画予約時に、当該録画予約によって録画されるコンテンツを携帯端末に転送するか否かをユーザに設定させる手段を備えていることを特徴とする請求項１および２のいずれかに記載の携帯端末付き映像記録装置。
【請求項４】
記録手段は、録画予約によって録画されるコンテンツを携帯端末に転送するとの設定が行われた録画予約を実行する際には、通常の録画を行って記録メディアにコンテンツを記録するとともに、携帯端末視聴用の低ビットレートでの録画を行って記録メディアにコンテンツを記録する手段を備えており、転送手段は、携帯端末視聴用の低ビットレートでの録画によって記録メディアに記録されたコンテンツを携帯端末に転送するものであることを特徴とする請求項３に記載の携帯端末付き映像記録装置。
【発明の詳細な説明】
【技術分野】
【０００１】
本発明は、映像記録装置とこの映像記録装置に録画されたコンテンツをダウンロードできる携帯端末とを備えた、携帯端末付き映像記録装置に関する。
【背景技術】
【０００２】
近年、ハードディスク（ＨＤＤ）などの大容量蓄積メディアを搭載した映像記録装置が普及してきた。映像記録装置の蓄積容量は年々増加しているが、実際にテレビを視聴する時間は限られているため、今後は映像記録装置に記録されているコンテンツを携帯端末に取り込んで、電車の待ち時間、通勤時間、待ち合わせ時間などの隙間時間に携帯端末でコンテンツを視聴するといったライフスタイルが普及すると考えられる。
【０００３】
そこで、従来の映像記録装置の中には、半導体メモリカードを介して、映像記録装置に記録された画像データを携帯電話や携帯端末で視聴できる機能を備えたものがある。しかしながら、これらの映像記録装置では、映像記録装置に録画されたコンテンツを半導体メモリカードにダウンロードする際には、その都度、映像記録装置を起動し、ダウンロードの対象となるコンテンツを選択するといった操作を手動で行う必要があり、遣い勝手が悪いという問題がある。
【特許文献１】特開２００１−１６９２５０号公報
【特許文献２】特開２００２−３３０３７６号公報
【特許文献３】特開２００１−１４４６３７号公報
【特許文献４】特開２００２−２７１２４８号公報
【特許文献５】特開平１０−４３４６３号公報
【発明の開示】
【発明が解決しようとする課題】
【０００４】
この発明は、映像記録装置に録画されたコンテンツを携帯端末にダウンロードするための操作が簡単となる携帯端末付き映像記録装置を提供することを目的とする。
【課題を解決するための手段】
【０００５】
請求項１に記載の発明は、映像記録装置と携帯端末とを備えており、映像記録装置は、テレビ番組のコンテンツを記録メディアに記録させる記録手段、および記録メディアに記録されたコンテンツの中から予め携帯端末に転送すべきであると指定されたコンテンツを予め指定された日時に携帯端末に転送する転送手段を備えており、携帯端末は映像記録装置から転送されたコンテンツを格納するための記憶手段および記憶手段に格納されたコンテンツを視聴可能に出力する手段を備えていることを特徴とする。
【０００６】
請求項２に記載の発明は、請求項１に記載の発明において、転送手段は、映像記録装置に携帯端末が接続されている状態において、記録メディアに記録されたコンテンツの中から予め携帯端末に転送すべきであると指定されたコンテンツを予め指定された日時に自動的に転送するものであることを特徴とする。
【０００７】
請求項３に記載の発明は、請求項１乃至２に記載の発明において、映像記録装置は、録画予約時に、当該録画予約によって録画されるコンテンツを携帯端末に転送するか否かをユーザに設定させる手段を備えていることを特徴とする。
【０００８】
請求項４に記載の発明は、請求項３に記載の発明において、記録手段は、録画予約によって録画されるコンテンツを携帯端末に転送するとの設定が行われた録画予約を実行する際には、通常の録画を行って記録メディアにコンテンツを記録するとともに、携帯端末視聴用の低ビットレートでの録画を行って記録メディアにコンテンツを記録する手段を備えており、転送手段は、携帯端末視聴用の低ビットレートでの録画によって記録メディアに記録されたコンテンツを携帯端末に転送するものであることを特徴とする。
【発明の効果】
【０００９】
この発明によれば、映像記録装置に録画されたコンテンツを携帯端末にダウンロードするための操作が簡単となる。
【発明を実施するための最良の形態】
【００１０】
以下、図面を参照して、この発明の実施例について説明する。
【実施例】
【００１１】
〔１〕携帯端末付き映像記録装置の概要についての説明
【００１２】
図１は、携帯端末付き映像記録装置の外観を示している。
【００１３】
携帯端末付き映像記録装置は、ＨＤＤレコーダ（映像記録装置）１と、モバイル・ビューワ（携帯端末）２とからなる。ＨＤＤレコーダ１には、クレードル（携帯設置台）３が接続されている。モバイル・ビューワ２がクレードル３に載せられた状態で、映像記録装置に録画されたコンテンツのモバイル・ビューワ２へのダウンロードが行われるとともに、モバイル・ビューワ２の充電が行われる。モバイル・ビューワ２は、持ち運びが自由にでき、任意の場所において、既に取得しているコンテンツの視聴が可能である。
【００１４】
〔２〕ＨＤＤレコーダ、モバイル・ビューワおよびクレードルの構成についての説明
【００１５】
図２は、ＨＤＤレコーダ１、モバイル・ビューワ２およびクレードル３の構成を示している。なお、説明の便宜上、映像系統のみ示し、音声系統は省略している。
【００１６】
まず、ＨＤＤレコーダ１について説明する。録画時においては、アンテナ１０で受信された信号は、ＴＶチューナ１１に送られて選局動作が行われる。ＴＶチューナ１１から出力されたテレビ番組信号は、Ａ／Ｄ変換器１２によってＡ／Ｄ変換される。Ａ／Ｄ変換器１２によって得られたデジタルのテレビ番組データは、メモリ１４を備えたエンコーダ１３によって圧縮された後、ＨＤＤ１５に記録される。
【００１７】
再生時においては、ＨＤＤ１５に記録された圧縮データが読み出され、メモリ１７を備えたデコーダ１６によって伸長される。デコーダ１６から出力されたテレビ番組データは、ビデオ出力回路１８によってＤ／Ａ変換され、ＮＴＳＣ信号として外部のテレビ（モニタ）に送られて、表示される。
【００１８】
ＨＤＤレコーダ１は、上記各部の他、全体を制御するＣＰＵ２１、プログラム等を記憶するメモリ２２、ＨＤＤレコーダ本体に設けられた操作部からの操作信号をＣＰＵ２１に取り込むための操作入力インタフェース２３、リモコン送信機からのリモコン信号をＣＰＵ２１に取り込むためのリモコンインタフェース２４、電源回路２５を備えている。さらに、ＨＤＤレコーダ１は、モバイル・ビューワ２の制御およびＨＤＤ１５に蓄積された圧縮データのモバイル・ビューワ２への転送を行うための端末インタフェース２６を備えている。
【００１９】
端末インタフェース２６および電源回路２５は、ケーブルを介してクレードル３に接続されている。クレードル３は、クレードル３にモバイル・ビューワ２が設置されているか否かを判別するための端末設置判別回路３１を含んでいる。端末設置判別回路３１は、端末インタフェース２６に接続されている。端末設置判別回路３１は、クレードル３にモバイル・ビューワ２が設置されたときに押し下げられるスイッチ等によって簡単に実現できる。
【００２０】
モバイル・ビューワ２について説明する。モバイル・ビューワ２は、モバイル・ビューワ２がクレードル３に設置されたときに、クレードル３に接続される端末インタフェース４１および充電ブロック５４を備えている。より具体的には、モバイル・ビューワ２がクレードル３に設置されたときに、クレードル３を介して、ＨＤＤレコーダ１内の端末インタフェース２６とモバイル・ビューワ２内の端末インタフェース４１とが接続され、ＨＤＤレコーダ１内の電源回路２５とモバイル・ビューワ２内の充電ブロック５４とが接続される。
【００２１】
ダウンロードは、モバイル・ビューワ２がクレードル３に設置された状態で行われる。ダウンロード時には、ＨＤＤレコーダ１からクレードル３および端末インタフェース４１を介して送られてきた圧縮データ（録画データ）は、録画データ蓄積用メモリ４２に蓄積される。録画データ蓄積用メモリ４２の代わりにハードディスク等の蓄積メディアを使用してもよい。
【００２２】
モバイル・ビューワ２は、自由に持ち運びができ、任意の場所で、録画データ蓄積用メモリ４２に蓄積されているコンテンツを視聴することが可能である。視聴時には、録画データ蓄積用メモリ４２に蓄積された圧縮データが読み出され、メモリ４４を備えたデコーダ４３によって伸長される。デコーダ４３から出力されたテレビ番組データは、表示回路４５を介して表示部（液晶ディスプレイ）４６に送られて、表示される。
【００２３】
モバイル・ビューワ２は、上記各部の他、全体を制御するＣＰＵ５１、プログラム等を機能するメモリ５２、モバイル・ビューワ本体に設けられた操作部からの操作信号をＣＰＵ５１に取り込むための操作入力インタフェース５３を備えている。
【００２４】
〔３〕ＨＤＤレコーダに対する予約録画操作についての説明
【００２５】
この実施例では、ＨＤＤレコーダに対する予約録画操作時に、当該録画予約によって録画されるデータ（録画データ）をモバイル・ビューワ２にダウンロードさせるべきか否かの設定を行うようになっている。
【００２６】
図３は、録画予約画面の一例を示している。この録画予約画面では、通常の録画予約のための設定項目（チャンネル，録画を行う日付、録画開始時刻，録画終了時刻，録画モード）の他、当該録画予約によって録画されるデータ（録画データ）をモバイル・ビューワ２にダウンロード（転送）させる日付および転送開始時刻を設定するための項目（項目名”転送日”，”転送時間”）が設けられている。なお、録画予約画面で設定された情報は、メモリ２２に録画予約テーブルとして記憶される。
【００２７】
ユーザは、録画予約操作時に、当該録画データをモバイル・ビューワ２にダウンロード（転送）させる日付および転送開始時刻を設定する。
【００２８】
図４は、録画予約画面の他の例を示している。この録画予約画面では、通常の録画予約のための設定項目（チャンネル，録画を行う日付、録画開始時刻，録画終了時刻，録画モード）の他、当該録画予約によって録画されるデータ（録画データ）をモバイル・ビューワ２にダウンロード（転送）させるか否かを設定するためのチェック項目（項目名”転送”）が設けられている。なお、録画予約画面で設定された情報は、メモリ２２に録画予約テーブルとして記憶される。
【００２９】
モバイル・ビューワ２にダウンロード（転送）すべき録画データのモバイル・ビューワ２への転送開始時刻は、初期設定を行うためのメニュー画面で総括的に設定される。例えば、初期設定を行うためのメニュー画面上で、録画データのモバイル・ビューワ２への転送開始時刻が、午前４：００と設定された場合には、録画終了時刻が午前零時（００：００）〜午前３時５９分（０３：５９）の間に設定されかつモバイル・ビューワ２へ転送すべきとの設定が行われた録画予約番組については、当該録画が終了する日の午前４：００にモバイル・ビューワ２への録画データのダウンロードが開始され、モバイル・ビューワ２へ転送すべきとの設定が行われたそれ以外の録画予約番組については当該録画が終了する日の翌日の午前４：００にモバイル・ビューワ２への録画データのダウンロードが開始される。
【００３０】
〔４〕ＨＤＤレコーダによるモバイル・ビューワ２への録画データのダウンロード処理についての説明
【００３１】
図５および図６は、ＨＤＤレコーダによるモバイル・ビューワ２への録画データのダウンロード処理手順を示している。
【００３２】
まず、現在時刻を確認する（ステップＳ１）。モバイル・ビューワ２への転送開始時刻の所定時間前（この例では５分前）か否かを判別する（ステップＳ２）。ここで、モバイル・ビューワ２への転送開始時刻とは、図３の録画予約画面が表示されるＨＤＤレコーダでは、録画予約画面で設定された転送開始時刻（転送時間）をいい、図４の録画予約画面が表示されるＨＤＤレコーダでは、初期設定を行うためのメニュー画面上で設定された転送開始時刻をいう。ただし、図４の録画予約画面において、ダウンロードを行うための設定が全く行われていない場合には、ステップＳ２でＮＯと判別される。
【００３３】
なお、図３および図４のいずれの場合も、ダウンロードが既に行われた場合には、録画データをモバイル・ビューワ２にダウンロードさせるために設定された設定情報は非アクティブ（無効状態）にされる。
【００３４】
モバイル・ビューワ２への転送開始時刻の所定時間前（この例では５分前）でないと判別された場合には、ステップＳ１に戻る。モバイル・ビューワ２への転送開始時刻の所定時間前（この例では５分前）であると判別された場合には、所定時間後（この例では５分後）に転送すべき録画データ（以下、今回転送すべき録画データという）に関して、以下の処理が行われる。なお、この場合においても、転送開始時刻が異なる他の録画予約を考慮して、ステップＳ１の処理とＳ２の処理は、継続して行われる。
【００３５】
クレードル３にモバイル・ビューワ２が設置されているか否かを判別する（ステップＳ３）。この判別は、端末設置判別回路３１からの判別結果情報に基づいて行われる。
【００３６】
クレードル３にモバイル・ビューワ２が設置されていると判別した場合には、モバイル・ビューワ２内の録画データ蓄積用メモリ４２の空き容量を確認する（ステップＳ６）。そして、今回転送すべき録画データを蓄積するための空き容量があるか否かを判別する（ステップＳ７）。今回転送すべき録画データを蓄積するための空き容量がある場合には、今回転送すべき録画データをモバイル・ビューワ２に転送する（ステップＳ９）。今回転送すべき録画データを蓄積するための空き容量がない場合には、録画データ蓄積用メモリ４２内に記録されている録画データを消去した後に（ステップＳ８）、今回転送すべき録画データをモバイル・ビューワ２に転送する（ステップＳ９）。
【００３７】
ステップＳ９の後、転送途中でエラーが発生することなく、転送が完了したか否かを判別する（ステップＳ１０）。転送途中でエラーが発生することなく、転送が完了した場合には、今回のダウンロード処理を終了する。転送途中でエラーが発生した場合には、ステップ１１以降のエラー処理に移行する。
【００３８】
なお、上記ステップＳ３において、クレードル３にモバイル・ビューワ２が設置されていないと判別した場合には、所定時間経過後（この例では３０分後）に再度、確認を行う（ステップＳ４）。そして、クレードル３にモバイル・ビューワ２が設置されていると判別した場合には（ステップＳ５でＹＥＳ）、ステップＳ６に移行する。クレードル３にモバイル・ビューワ２が設置されていないと判別した場合には（ステップＳ５でＮＯ）、ステップ１１以降のエラー処理に移行する。
【００３９】
エラー処理について説明する。エラー処理の回数Ｎを１だけインクリメントする（ステップＳ１１）。Ｎの初期値は０であり、最初にステップＳ１１に移行してきたときには、Ｎ＝１とされる。
【００４０】
エラー処理の回数Ｎを更新した後、所定時間経過後（この例では３０分後）にクレードル３にモバイル・ビューワ２が設置されているか否かを再度確認する（ステップＳ１２）。クレードル３にモバイル・ビューワ２が設置されていないと判別した場合には（ステップＳ１３でＮＯ）、今回のダウンロード処理を終了する。この場合には、今回転送すべき録画データは、転送されないことになる。
【００４１】
クレードル３にモバイル・ビューワ２が設置されていると判別した場合には（ステップＳ１３でＹＥＳ）、モバイル・ビューワ２内の録画データ蓄積用メモリ４２の空き容量を確認する（ステップＳ１４）。そして、今回転送すべき録画データを蓄積するための空き容量があるか否かを判別する（ステップＳ１５）。今回転送すべき録画データを蓄積するための空き容量がある場合には、今回転送すべき録画データをモバイル・ビューワ２に転送する（ステップＳ１７）。今回転送すべき録画データを蓄積するための空き容量がない場合には、録画データ蓄積用メモリ４２内に記録されている録画データを消去した後に（ステップＳ１６）、今回転送すべき録画データをモバイル・ビューワ２に転送する（ステップＳ１７）。
【００４２】
ステップＳ１７の後、転送途中でエラーが発生することなく、転送が完了したか否かを判別する（ステップＳ１８）。転送途中でエラーが発生することなく、転送が完了した場合には、今回のダウンロード処理を終了する。転送途中でエラーが発生した場合には、Ｎが所定値（この例では３）に達したか否かを判別する（ステップＳ１９）。Ｎ＝３でなければ、つまり、Ｎ＜３であれば、ステップＳ１１に戻る。Ｎ＝３であれば、今回のダウンロード処理を終了する。この場合には、今回転送すべき録画データの全てが正常に転送されないことになる。
【００４３】
〔５〕変形例についての説明
【００４４】
ところで、録画時のビットレート（録画モード）が高いほど、高画質モードとなるが、録画に必要なメモリ容量が大きくなる。例えば、録画モードがＳＰモードである場合には、ビットレートが６Mpbsであるが、ＥＰモードではビットレートが２Mpbsとなる。
【００４５】
ＨＤＤレコーダ１をテレビ（モニタ）に接続して視聴する場合、低画質モードでも２Mpbs程度必要であるとしても、画面サイズが３〜４インチ程度のモバイル・ビューワ２向けであればビットレートをさらに低くしても、例えば５１２kpbsでも、充分である。
【００４６】
そこで、録画予約時にモバイル・ビューワ２へのダウンロードが設定されたコンテンツについては、通常の録画( テレビでの視聴を想定した数Mpbsの録画モードでの録画）とは別に、モバイル・ビューワ２向けの低ビットレートでの録画も同時に行い、モバイル・ビューワ２への転送は低ビットレートで録画されたコンテンツを転送するようにする。
【００４７】
この場合には、図７に示すように、ＨＤＤレーコーダ１には、エンコーダを２系統用意する。つまり、通常録画のための第１エンコーダ１３Ａと、モバイル・ビューワ２向けの低ビットレートでの録画のための第２エンコーダ１３Ｂとを用意する。各エンコーダ１３Ａ、１３Ｂは、それぞれメモリ１４Ａおよび１４Ｂを備えている。
【００４８】
録画予約時にモバイル・ビューワ２へのダウンロードが設定されたコンテンツについては、その録画時に、各エンコーダ１３Ａ、１３Ｂによってテレビ番組データを圧縮させ、各エンコーダ１３Ａ、１３Ｂによって得られた録画データを、ＨＤＤ１５に記録させる。      
【００４９】
そして、ダウンロード時には、モバイル・ビューワ２向けの低ビットレートでの録画のための第２エンコーダ１３Ｂによって圧縮された録画データをモバイル・ビューワ２に転送する。
【００５０】
なお、２系統のエンコーダ１３Ａ、１３Ｂは両方ともＭＰＥＧ２対応のエンコーダであってもよいし、通常録画用のエンコーダ１３ＡをＭＰＥＧ２対応のエンコーダとし、モバイル・ビューワ用のエンコーダ１３Ｂを低ビットレートに向いているＭＰＥＧ４対応のエンコーダとしてもよい。ただし、モバイル・ビューワ用のエンコーダ１３ＢをＭＰＥＧ４対応のエンコーダとした場合には、モバイル・ビューワ２内のデコーダ４３としては、ＭＰＥＧ４対応のデコーダを用いる必要がある。
【図面の簡単な説明】
【００５１】
【図１】携帯端末付き映像記録装置の外観を示す模式図である。
【図２】ＨＤＤレコーダ１、モバイル・ビューワ２およびクレードル３の構成を示すブロック図である。
【図３】録画予約画面の一例を示す模式図である。
【図４】録画予約画面の他の例を示す模式図である。
【図５】ＨＤＤレコーダ１によるモバイル・ビューワ２への録画データのダウンロード処理手順を示すフローチャートである。
【図６】ＨＤＤレコーダ１によるモバイル・ビューワ２への録画データのダウンロード処理手順を示すフローチャートである。
【図７】ＨＤＤレコーダ１の変形例を示すブロック図である。
【符号の説明】
【００５２】
１  ＨＤＤレコーダ（映像記録装置）
２  モバイル・ビューワ（携帯端末）
３  クレードル
１１  ＴＶチューナ
１２  Ａ／Ｄ変換器
１３、１３Ａ、１３Ｂ  エンコーダ
１５  ＨＤＤ
２１  ＣＰＵ
２２  メモリ
２５  電源回路
２６  端末インタフェース
３１  端末設置判別回路
４１  端末インタフェース
５４  充電ブロック
４２  録画データ蓄積用メモリ
４３  デコーダ
４５  表示回路
４６  表示部（液晶ディスプレイ）
５１  ＣＰＵ
５２  メモリ
【図１】
2005109604.tif 000003
【図２】
2005109604.tif 000004
【図３】
2005109604.tif 000005
【図４】
2005109604.tif 000006
【図５】
2005109604.tif 000007
【図６】
2005109604.tif 000008
【図７】
2005109604.tif 000009